(57)【要約】【課題】コントロールボックスを収容部から容易に取出すことができる。【解決手段】コントロールボックス１１を有する冷凍サイクル１０と、冷凍サイクル１０を収容し、内側にコントロールボックス１１が収容された収容部２５が画成されるとともに、コントロールボックス１１を、収容部２５内に前後方向に出し入れ可能な出入口２２Ａを有する筐体２０と、筐体２０を支持し、かつ上面が収容部２５の底面をなすベース３０と、を備え、ベース３０の上面のうち、コントロールボックス１１における前側に位置する端部の下方には、コントロールボックス１１の下面における前端縁１１Ａよりも後方から、前端縁１１Ａよりも前方にかけて延びる切欠き部４０が形成され、切欠き部４０は、コントロールボックス１１よりも、収容部２５の前後方向および上下方向と直交する左右方向に大きい。【選択図】図２
2018169144.tif 000002
【特許請求の範囲】
【請求項１】
コントロールボックスを有する冷凍サイクルと、
前記冷凍サイクルを収容し、内側に前記コントロールボックスが収容された収容部が画成されるとともに、前記コントロールボックスを、前記収容部内に前後方向に出し入れ可能な出入口を有する筐体と、
前記筐体を支持し、かつ上面が前記収容部の底面をなすベースと、を備え、
前記ベースの上面のうち、前記コントロールボックスにおける前側に位置する端部の下方には、前記コントロールボックスの下面における前端縁よりも後方から、前記前端縁よりも前方にかけて延びる切欠き部が形成され、
前記切欠き部は、前記コントロールボックスよりも、前記収容部の前後方向および上下方向と直交する左右方向に大きいことを特徴とするチリングユニット。
【請求項２】
前記左右方向から見た断面視において、前記切欠き部における後側に位置し、前記ベースの上面と連なる部分には、後方に向かうに従い漸次、上方に向けて延びる後側傾斜面が形成されていることを特徴とする請求項１に記載のチリングユニット。
【請求項３】
前記左右方向から見た断面視において、前記切欠き部における前側に位置し、前記ベースの上面と連なる部分には、前方に向かうに従い漸次、上方に向けて延びる前側傾斜面が形成され、
前記前側傾斜面の後端部は、前記後側傾斜面の前端部と連なっていることを特徴とする請求項２に記載のチリングユニット。
【請求項４】
前記後側傾斜面における前記ベースの上面に対する傾斜角度は、前記前側傾斜面における前記ベースの上面に対する傾斜角度よりも小さくなっていることを特徴とする請求項３に記載のチリングユニット。
【請求項５】
前記切欠き部には、水抜き孔が形成されていることを特徴とする請求項１から４のいずれか１項に記載のチリングユニット。
【請求項６】
コントロールボックスを有する冷凍サイクルと、
前記冷凍サイクルを収容し、内側に、コントロールボックスが収容される収容部が画成されるとともに、前記収容部に対して、前記コントロールボックスを前記収容部の前後方向に出し入れ可能な出入口を有する筐体と、
前記筐体を支持し、かつ上面が前記収容部の底面をなすベースと、を備えたチリングユニットの収容部に、前記コントロールボックスを据え付けるコントロールボックスの据え付け方法であって、
前記筐体の出入口から前記収容部内に前記コントロールボックスを進入させて、前記コントロールボックスの前側に位置する下端部を、前記ベースの上面に形成され、前記コントロールボックスよりも前後方向および上下方向と直交する左右方向に大きな切欠き部内に進入させ、
前記切欠き部における後端部に位置し、前記ベースの上面と連なる部分を中心に、前記コントロールボックスを後方に向けて回動させることで、前記ベースの上面に前記コントロールボックスを載置することを特徴とするコントロールボックスの据え付け方法。
【発明の詳細な説明】
【技術分野】
【０００１】
本発明は、チリングユニット、およびコントロールボックスの据え付け方法に関する。
【背景技術】
【０００２】
特許文献１には、冷凍サイクルを有するチリングユニットとして、上部に複数の空気熱交換器を配置し、冷凍サイクルのうち、空気熱交換器を除く部分を下部の収容部に配置したものが記載されている。
このチリングユニットは、収容部に配置するコントロールボックスを最適位置に設定することによって、コントロールボックスに対するメンテナンス作業の容易化を図っている。
【先行技術文献】
【特許文献】
【０００３】
【特許文献１】国際公開第２０１１／０９９６２９号
【発明の概要】
【発明が解決しようとする課題】
【０００４】
しかしながら、前記従来のチリングユニットでは、冷凍サイクルを制御するコントロールボックスがチリングユニットの下部に位置する収容部内に収容されていたので、特にコントロールボックスの重量が大きい場合等に、コントロールボックスを収容部内から取出すことが困難であった。
【０００５】
本発明は、上記課題を解決するためになされたものであって、コントロールボックスを収容部から容易に取出すことができるチリングユニットを提供することを目的とする。
【課題を解決するための手段】
【０００６】
上記課題を解決するために、本発明は以下の手段を採用している。
すなわち、本発明の一態様に係るチリングユニットは、コントロールボックスを有する冷凍サイクルと、前記冷凍サイクルを収容し、内側に前記コントロールボックスが収容された収容部が画成されるとともに、前記コントロールボックスを、前記収容部内に前後方向に出し入れ可能な出入口を有する筐体と、前記筐体を支持し、かつ上面が前記収容部の底面をなすベースと、を備え、前記ベースの上面のうち、前記コントロールボックスにおける前側に位置する端部の下方には、前記コントロールボックスの下面における前端縁よりも後方から、前記前端縁よりも前方にかけて延びる切欠き部が形成され、前記切欠き部は、前記コントロールボックスよりも、前記収容部の前後方向および上下方向と直交する左右方向に大きいことを特徴とする。
【０００７】
この構成によれば、ベース部の上面に形成され、コントロールボックスよりも左右方向に大きい切欠き部が、コントロールボックスにおける前側に位置する端部の下方および前方に位置しているので、コントロールボックスを収容部から取出す際に、コントロールボックスの前側の下端部が切欠き部内に進入するように、コントロールボックスを前方に向けて回動させて傾けた後に、コントロールボックスを、出入口を通して収容部から取出すことができる。これにより、仮にコントロールボックスの重量が大きい場合であっても、段階的にコントロールボックスの姿勢を変えて持ち上げることができ、コントロールボックスを容易に収容部から取出すことができる。
【０００８】
また、上記のチリングユニットは、前記左右方向から見た断面視において、前記切欠き部における後側に位置し、前記ベースの上面と連なる部分には、後方に向かうに従い漸次、上方に向けて延びる後側傾斜面が形成されてもよい。
【０００９】
この構成によれば、切欠き部に後側傾斜面が形成されているので、コントロールボックスを前方に向けて回動させた際に、後側傾斜面上にコントロールボックスの下面を当接させて載置することが可能になり、コントロールボックスの取出し作業を安定させることができる。また、切欠き部における後端部に位置し、ベースの上面と連なる部分が鈍角となることにより、コントロールボックスの下面が、前記連なる部分と接触した際に、変形や損傷等が生じるのを防ぐことができる。
【００１０】
また、上記のチリングユニットは、前記左右方向から見た断面視において、前記切欠き部における前側に位置し、前記ベースの上面と連なる部分には、前方に向かうに従い漸次、上方に向けて延びる前側傾斜面が形成され、前記前側傾斜面の後端部は、前記後側傾斜面の前端部と連なってもよい。
【００１１】
この構成によれば、前側傾斜面の後端部と、後側傾斜面の前端部と、が互いに連なっているので、コントロールボックスを前方に向けて回動させて、後側傾斜面上にコントロールボックスを載置して取出す際に、コントロールボックスの前面の下端部を、傾斜面上に当接させることが可能になり、コントロールボックスを安定させることができる。これにより、コントロールボックスをより一層容易に収容部から取出すことができる。
【００１２】
また、上記のチリングユニットでは、前記後側傾斜面における前記ベースの上面に対する傾斜角度は、前記前側傾斜面における前記ベースの上面に対する傾斜角度よりも小さくなってもよい。
【００１３】
この構成によれば、後側傾斜面におけるベースの上面に対する傾斜角度が、前側傾斜面におけるベースの上面に対する傾斜角度よりも小さいので、後側傾斜面におけるベースの上面に対する傾斜角度を小さくすることできる。これにより、ベースの上面に載置されたコントロールボックスを後側傾斜面上に載置する際の、コントロールボックスの前方に向けた回動量を抑えることが可能になり、コントロールボックスの取出し作業を安定させることができる。
【００１４】
また、上記のチリングユニットは、前記切欠き部には、水抜き孔が形成されてもよい。
【００１５】
この構成によれば、仮に切欠き部内に、冷凍サイクルに結露した水分が進入しても、水抜き孔から容易に排出することができる。
【００１６】
また、本発明の一態様に係るコントロールボックスの据え付け方法は、コントロールボックスを有する冷凍サイクルと、前記冷凍サイクルを収容し、内側に、コントロールボックスが収容される収容部が画成されるとともに、前記収容部に対して、前記コントロールボックスを前記収容部の前後方向に出し入れ可能な出入口を有する筐体と、前記筐体を支持し、かつ上面が前記収容部の底面をなすベースと、を備えたチリングユニットの収容部に、前記コントロールボックスを据え付けるコントロールボックスの据え付け方法であって、前記筐体の出入口から前記収容部内に前記コントロールボックスを進入させて、前記コントロールボックスの前側に位置する下端部を、前記ベースの上面に形成され、前記コントロールボックスよりも前後方向および上下方向と直交する左右方向に大きな切欠き部内に進入させ、前記切欠き部における後端部に位置し、前記ベースの上面と連なる部分を中心に、前記コントロールボックスを後方に向けて回動させることで、前記ベースの上面に前記コントロールボックスを載置することを特徴とする。
【００１７】
この構成によれば、例えば一度収容部から取出したコントロールボックスを、再度収容部に据え付ける際に、切欠き部内にコントロールボックスの前側に位置する下端部を進入させることで、段階的にコントロールボックスの姿勢を変えて収容部内に進入させることができ、コントロールボックスを収容部に容易に据え付けることができる。
【発明の効果】
【００１８】
本発明のチリングユニットによれば、コントロールボックスを収容部から容易に取出すことができる。
【図面の簡単な説明】
【００１９】
【図１】本発明の第１実施形態に係るチリングユニットにおける、（ａ）全体斜視図、（ｂ）収容部内の上面模式図である。
【図２】図１に示す収容部の側面断面図である。
【図３】図２に示す収容部内のコントロールボックスを除く上面図および側面断面図である。
【図４】図２に示す収容部内において、コントロールボックスの前側における下端部を切欠き部内に進入させた状態を示す図である。
【図５】本発明の第２実施形態に係るチリングユニットにおいて、収容部内のコントロールボックスを除く（ａ）上面図、（ｂ）側面断面図である。
【図６】本発明の第３実施形態に係るチリングユニットにおいて、収容部内のコントロールボックスを除く（ａ）上面図、（ｂ）側面断面図である。
【発明を実施するための形態】
【００２０】
以下、本発明の実施の形態について、図１から図５を参照して説明する。
（第１実施形態）
図１に示すように、本発明の第１実施形態に係るチリングユニット１は、コントロールボックス１１を有する冷凍サイクル１０と、冷凍サイクル（１０）を収容し、内側にコントロールボックス１１が収容される収容部２５が画成されるとともに、コントロールボックス１１を、収容部２５内に前後方向Ｘに出し入れ可能な出入口２２Ａを有する筐体２０と、筐体２０を支持し、かつ上面が収容部２５の底面をなすベース３０と、を備えている。
【００２１】
図１（ａ）に示すように、チリングユニット１の外側面を構成する筐体２０のうち、上部を構成する上部筐体２１は、上方に向かうに従い漸次、上下方向Ｚと直交する一方向の外側に向けて膨出している。筐体２０のうち、下部に位置する下部筐体２２の内側が収容部２５となっている。下部筐体２２における一方側の側面に、収容部２５の出入口２２Ａが形成されている。
以下の説明において、前記一方向に沿う方向を収容部２５の前後方向Ｘといい、前後方向Ｘおよび上下方向Ｚと直交する方向を左右方向Ｙという。また、前後方向Ｘのうち、収容部２５の出入口２２Ａ側を前方、その反対側を後方という。
【００２２】
図１（ｂ）に示すように、冷凍サイクル１０は、コントロールボックス１１の他、圧縮機１２、水熱交換器１３、および空気熱交換器（図示せず）を主に備えている。圧縮機１２、水熱交換器１３、および空気熱交換器は、冷媒配管（図示せず）により順次接続されている。冷媒配管には、切換え弁（図示せず）および膨張弁（図示せず）が適宜配設されている。
冷凍サイクル１０のうち、コントロールボックス１１、圧縮機１２、および水熱交換器１３は収容部２５内に配設され、空気熱交換器は、上部筐体２１内に配設されている。
【００２３】
収容部２５内のうち、収容部２５の出入口２２Ａ側における上端部には、排水（ドレン）を受けるドレンパン２３が配設されている。ドレンパン２３は前記上端部において、左右方向Ｙの全域にわたって延びている。
ベース３０は、上面視で前後方向Ｘよりも左右方向Ｙに長い矩形状を呈している。ベース３０の上面のうち、コントロールボックス１１の後方に位置する部分には、コントロールボックス１１を固定する固定具３１が配設されている。
【００２４】
そして本実施形態では、図２に示すように、ベース３０の上面のうち、コントロールボックス１１における前側に位置する端部の下方には、下方に向けて窪む切欠き部４０が形成されている。切欠き部４０は、コントロールボックス１１の下面における前端縁１１Ａよりも後方から、前端縁１１Ａよりも前方にかけて延びている。切欠き部４０における後端部に位置し、ベース３０の上面と連なる部分４０Ａは、コントロールボックス１１の重心よりも前方に位置している。
【００２５】
図３に示すように、切欠き部４０は上面視で前後方向Ｘよりも左右方向Ｙに長い矩形状をなしている。切欠き部４０は、コントロールボックス１１よりも、左右方向Ｙに大きく形成されている。コントロールボックス１１は、左右方向Ｙにおいて切欠き部４０の内側に配置されている。切欠き部４０内に前方から空気が流入し、コントロールボックス１１の下面からコントロールボックス１１の内部を通過して上方へと流れていく。これにより、コントロールボックス１１を冷却することができる。
【００２６】
ベース３０のうち、切欠き部４０の後方に位置する部分には、ベース３０の上面を上下方向Ｚに貫通する冷却通路３２が形成されている。冷却通路３２は上面視で前後方向Ｘよりも左右方向Ｙに長い矩形状をなしている。冷却通路３２の前後方向Ｘおよび左右方向Ｙの大きさは、切欠き部４０よりも小さくなっている。冷却通路３２は、コントロールボックス１１の下方に位置している。
【００２７】
図３（ｂ）に示すように、左右方向Ｙから見た断面視において、切欠き部４０における後側に位置し、ベース３０の上面と連なる部分には、後方に向かうに従い漸次、上方に向けて延びる後側傾斜面４１が形成されている。後側傾斜面４１は、切欠き部４０の左右方向Ｙの全域にわたって形成されている。後側傾斜面４１は、上面視で切欠き部４０の後側の半分をなしている。なお、後側傾斜面４１は、切欠き部４０の左右方向Ｙのうち、コントロールボックス１１と対応する部分にのみ形成され、両端部に形成されていなくてもよい。
【００２８】
また、前記断面視において、切欠き部４０における前側に位置し、ベース３０の上面と連なる部分には、前方に向かうに従い漸次、上方に向けて延びる前側傾斜面４２が形成されている。前側傾斜面４２は、切欠き部４０の左右方向Ｙの全域にわたって形成されている。前側傾斜面４２は、上面視で切欠き部４０の前側の半分をなしている。なお、前側傾斜面４２は、切欠き部４０の左右方向Ｙのうち、コントロールボックス１１と対応する部分にのみ形成され、両端部に形成されていなくてもよい。
【００２９】
ドレンパン２３は、収容部２５内のうち、後述するコントロールボックス１１の回動時に、コントロールボックス１１と干渉しない位置に配設されている。
すなわちドレンパン２３は、収容部２５内のうち、コントロールボックス１１の回動中心となる、切欠き部４０における後端部に位置し、ベース３０の上面と連なる部分４０Ａに対して、コントロールボックス１１における前記連なる部分４０Ａから最も離れた部分までの距離よりも離れた位置に配設されている。
【００３０】
また、本実施形態では、前側傾斜面４２の後端部は、後側傾斜面４１の前端部と連なっている。前側傾斜面４２および後側傾斜面４１それぞれにおけるベース３０の上面に対する傾斜角度θ１、θ２は、互いに同等となっている。前側傾斜面４２と後側傾斜面４１との間に上方に向けてなす角度は略９０°となっている。なお、前記なす角度は、９０°よりも大きい鈍角となっていてもよい。
切欠き部４０の下端部には、水抜き孔２４が形成されている。水抜き孔２４は、切欠き部４０の前後方向Ｘおよび左右方向Ｙの中央部に形成されている。水抜き孔２４は、前側傾斜面４２および後側傾斜面４１を上下方向Ｚに一体に貫いている。
【００３１】
次に、チリングユニット１からコントロールボックス１１を取出す取出し方法について説明する。
この取出し方法では、まず、回動工程として、図４に示すように、ベース３０の上面に載置されたコントロールボックス１１を、固定具３１から外す。そして、切欠き部４０における後端部に位置し、ベース３０の上面と連なる部分４０Ａを中心に、コントロールボックス１１を前方に向けて回動させる。これにより、コントロールボックス１１を傾けながら、コントロールボックス１１の前側に位置する下端部を切欠き部４０内に進入させる。この際、コントロールボックス１１の下面は、後側傾斜面４１に載置されるとともに、コントロールボックス１１の下端部における前面は、前側傾斜面４２と当接する。
そして、コントロールボックス１１を、下部筐体２２の出入口２２Ａから、前方斜め上に向けて引きあげることで、コントロールボックス１１を、チリングユニット１からコントロールボックスを取出す。
【００３２】
次に、チリングユニット１に、コントロールボックス１１を据え付けるコントロールボックス１１の据え付け方法について説明する。
この据付け方法では、まず、進入工程として、図４に示すように、収容部２５の出入口２２Ａから収容部２５内にコントロールボックス１１を進入させて、コントロールボックス１１の前側に位置する下端部を切欠き部４０内に進入させる。
そして、切欠き部４０における後端部に位置し、ベース３０の上面と連なる部分４０Ａを中心に、コントロールボックス１１を後方に向けて回動させることで、ベース３０の上面にコントロールボックス１１を載置する。その後、コントロールボックス１１を後方に向けて所定位置まで移動させ、固定具３１によりベース３０にコントロールボックス１１を固定する。
【００３３】
以上説明したように、本実施形態に係るチリングユニット１によれば、ベース３０の上面に形成され、コントロールボックス１１よりも左右方向Ｙに大きい切欠き部４０が、コントロールボックス１１における前側に位置する端部の下方および前方に位置しているので、コントロールボックス１１を収容部２５から取出す際に、コントロールボックス１１の前側の下端部が切欠き部４０内に進入するように、コントロールボックス１１を前方に向けて回動させて傾けた後に、コントロールボックス１１を、出入口２２Ａを通して収容部２５から取出すことができる。これにより、仮にコントロールボックス１１の重量が大きい場合であっても、段階的にコントロールボックス１１の姿勢を変えて持ち上げることができ、コントロールボックス１１を容易に収容部２５から取出すことができる。
【００３４】
また、切欠き部４０に後側傾斜面４１が形成されているので、コントロールボックス１１を前方に向けて回動させた際に、後側傾斜面４１上にコントロールボックス１１の下面を当接させて載置することが可能になり、コントロールボックス１１の取出し作業を安定させることができる。また、切欠き部４０における後端部に位置し、ベース３０の上面と連なる部分４０Ａが鈍角となることにより、コントロールボックス１１の下面が、前記連なる部分４０Ａと接触した際に、変形や損傷等が生じるのを防ぐことができる。
【００３５】
また、前側傾斜面４２の後端部と、後側傾斜面４１の前端部と、が互いに連なっているので、コントロールボックス１１を前方に向けて回動させて、後側傾斜面４１上にコントロールボックス１１を載置して取出す際に、コントロールボックス１１の前面の下端部を、傾斜面上に当接させることが可能になり、コントロールボックス１１を安定させることができる。これにより、コントロールボックス１１をより一層容易に収容部２５から取出すことができる。
また、切欠き部４０の下端部に、水抜き孔２４が形成されているので、切欠き部４０内に仮に冷凍サイクル１０に結露した水分が進入しても、水抜き孔２４から容易に排出することができる。
また、切欠き部４０内に前方から空気が流入し、コントロールボックス１１の下面からコントロールボックス１１の内部を通過して上方へと流れていくことにより、コントロールボックス１１を冷却することができる。
【００３６】
また、本実施形態に係るコントロールボックス１１の据え付け方法によれば、例えば一度収容部２５から取出したコントロールボックス１１を、再度収容部２５に据え付ける際に、切欠き部４０内にコントロールボックス１１の前側に位置する下端部を進入させることで、段階的にコントロールボックス１１の姿勢を変えて収容部２５内に進入させることができ、コントロールボックス１１を収容部２５に容易に据え付けることができる。
【００３７】
（第２実施形態）
図５は、本発明の第２実施形態におけるチリングユニット２における収容部２５を示す上面図および側面断面図である。図５に示すように、第２実施形態にかかるチリングユニット２では、切欠き部４０Ｂにおける後側傾斜面４１Ｂおよび前側傾斜面４２Ｂおよびの傾斜角度が、第１実施形態にかかるチリングユニット１と異なっている。以下の説明では、上記第１実施形態と共通な箇所の説明は省略する。また、説明に用いる各図面において、図１〜図４と共通の構成要素には同一の符号を付すものとする。
【００３８】
本実施形態に係るチリングユニット２では、後側傾斜面４１Ｂにおけるベース３０の上面に対する傾斜角度θ４は、後側傾斜面４１Ｂにおけるベース３０の上面に対する傾斜角度θ３よりも小さくなっている。上面視において、後側傾斜面４１Ｂは、前側傾斜面４２Ｂよりも前後方向Ｘに大きく形成されている。水抜き孔２４は、切欠き部４０の前後方向Ｘの中央部よりも前側に形成されている。
【００３９】
上記構成のチリングユニット２では、後側傾斜面４１Ｂにおけるベース３０の上面に対する傾斜角度が、前側傾斜面４２Ｂにおけるベース３０の上面に対する傾斜角度よりも小さいので、後側傾斜面４１Ｂにおけるベース３０の上面に対する傾斜角度を小さくすることできる。これにより、ベース３０の上面に載置されたコントロールボックス１１を後側傾斜面４１Ｂ上に載置する際の、コントロールボックス１１の前方に向けた回動量を抑えることが可能になり、コントロールボックス１１の取出し作業を安定させることができる。
【００４０】
（第３実施形態）
図６は、本発明の第３実施形態におけるチリングユニット３における収容部２５を示す上面図および側面断面図である。図６に示すように、第３実施形態にかかるチリングユニット３では、切欠き部４０の形状が、第１実施形態にかかるチリングユニット１と異なっている。以下の説明では、上記第１実施形態と共通な箇所の説明は省略する。また、説明に用いる各図面において、図１〜図４と共通の構成要素には同一の符号を付すものとする。
切欠き部４０は、後側が前側よりも左右方向Ｙに大きいＴ字状をなしている。切欠き部４０における上方を向く底面は傾斜しておらず、水平方向に延びる平坦状に形成されている。
【００４１】
以上、本発明の実施の形態について図面を参照して詳述したが、具体的な構成はこの実施の形態に限られるものではなく、本発明の要旨を逸脱しない範囲の設計変更等も含まれる。
例えば、第１実施形態および第２実施形態においては、切欠き部４０に後側傾斜面４１、４１Ｂおよび前側傾斜面４２、４２Ｂが形成された構成を示したが、このような態様に限られない。切欠き部４０に後側傾斜面４１、４１Ｂおよび前側傾斜面４２、４２Ｂが形成されることなく、切欠き部４０の底面が、上方を向く平坦面状に形成されてもよい。
【００４２】
また、第１実施形態および第２実施形態においては、前側傾斜面４２、４２Ｂの後端部が、後側傾斜面４１、４１Ｂの後端部と連なっている構成を示したが、このような態様に限られない。前側傾斜面４２、４２Ｂと後側傾斜面４１、４１Ｂとの間に、上方を向く平坦面が形成されてもよい。
また、上記第１実施形態においては、前側傾斜面４２および後側傾斜面４１それぞれのベース３０の上面に対する傾斜角度θ１、θ２が互いに同等となっている構成を示し、上記第２実施形態においては、後側傾斜面４１Ｂが、前側傾斜面４２Ｂと比べて、ベース３０の上面に対して傾斜角度が緩やかになっている構成を示したが、このような態様に限られない。後側傾斜面４１におけるベース３０の上面に対する傾斜角度が、前側傾斜面４２におけるベース３０の上面に対する傾斜角度よりも大きくてもよい。
【００４３】
また、上記各実施形態においては、切欠き部４０に水抜き孔２４が形成されている構成を示したが、このような態様に限られない。水抜き孔２４はベース３０の上面に形成されてもよいし、収容部２５内に形成されなくてもよい。
【符号の説明】
【００４４】
１、２、３  チリングユニット
１０  冷凍サイクル
１１  コントロールボックス
２０  筐体
２２Ａ  出入口
２４  水抜き孔
２５  収容部
３０  ベース
４０、４０Ｂ  切欠き部
４１、４１Ｂ  後側傾斜面
４２、４２Ｂ  前側傾斜面
【図１】
2018169144.tif 000003
【図２】
2018169144.tif 000004
【図３】
2018169144.tif 000005
【図４】
2018169144.tif 000006
【図５】
2018169144.tif 000007
【図６】
2018169144.tif 000008